(57)【特許請求の範囲】
【請求項１】
消費者識別子（ＣＩＤ）と、該ＣＩＤの消費者の購入履歴情報とを記憶し、消費者による購入に関する該購入履歴情報とその消費者の該ＣＩＤとを関連付ける購入履歴表と、
購入履歴基準と、調査募集とを記憶し、該購入履歴基準の各々と対応する調査募集とを関連付ける購入履歴基準表であって、前記購入履歴基準は、消費者の前記購入履歴情報に基づく情報により、対応する該調査募集を受け付けるために満たされるべき基準であり、前記調査募集の各々は、調査の参加を開始するために使用される電話番号、ウェブサイト、ウェブページ、住所、ＵＲＬ及び／又は電子メールアドレスを含むコンタクト情報、謝礼を受け取るための条件情報、謝礼情報、及び、各調査募集を識別するコードを含む、前記購入履歴基準表と、
ＣＩＤと、該ＣＩＤの消費者に配信するための調査募集とを関連付けて記憶する調査募集表と、
を含む、グローバル購入データベースと；
前記グローバル購入データベースに情報を記憶し、かつ、該グローバル購入データベースから情報を取り出すためのホストコンピュータと、
プリンターとスキャナーを含む、小売店の１つもしくはそれ以上のポスと、
前記ホストコンピュータと通信し、ローカル購入データベースに情報を記憶かつ取り出し、前記ポスの前記プリンターを制御するための、前記小売店の購入データコンピュータと、
前記ホストコンピュータと、ネットワークを介して接続されている調査者装置と
を備え、
前記ホストコンピュータは、前記グローバル購入データベース内の前記購入履歴表に記憶された購入履歴情報に基づく情報と、前記購入履歴基準表に記憶されたある購入履歴基準と比較し、
前記ホストコンピュータは、特定の消費者の前記ある購入履歴情報が前記購入履歴基準を満たすなら、前記購入履歴表に記憶された該特定の消費者のＣＩＤと、前記購入履歴基準表に記憶された対応する調査募集とを、前記調査募集表に関連付けて記憶し、
前記ホストコンピュータは、前記調査募集表を、前記小売店の前記購入データコンピュータに配信し、
前記ホストコンピュータは、前記調査募集中の前記コードを、前記購入データコンピュータに対するコードの配信前、配信中もしくは配信後に、前記調査者装置に送信し、
前記小売店の購入データコンピュータは、前記調査募集表を受け取って前記ローカル購入データベースに記憶し、
顧客が小売店で購入して顧客のＣＩＤが前記ポスにおいて前記スキャナーにより走査されると、前記購入データコンピュータは、該ＣＩＤを用いて、前記ローカル購入データベースに記憶された前記調査募集表中に、該ＣＩＤと同じＣＩＤが存在するかどうかを決定し、
前記購入データコンピュータが前記調査募集表中に同じＣＩＤが存在すると決定したら、前記購入データコンピュータは、前記調査募集表中の該ＣＩＤに対応する、コンタクト情報、条件情報、謝礼情報及びコードを含む調査募集を、前記ポスにおける前記プリンターにより印刷し、
顧客装置は、印刷された前記調査募集上のコンタクト情報を使用して前記調査者装置と接続し、
前記調査者装置は、前記調査募集上に示されるコードを入力するよう、顧客に要求し、
前記調査者装置は、前記顧客装置から入力された前記コードが未だ受信されていないことを判断する
ことにより、調査が実行され、前記調査募集上の前記謝礼が顧客に与えられるようにしたシステム。
【請求項２】
消費者識別子（ＣＩＤ）と、該ＣＩＤの消費者の購入履歴情報とを記憶し、消費者による購入に関する該購入履歴情報とその消費者の該ＣＩＤとを関連付ける購入履歴表と、
購入履歴基準と、調査募集とを記憶し、該購入履歴基準の各々と対応する調査募集とを関連付ける購入履歴基準表であって、前記購入履歴基準は、消費者の前記購入履歴情報に基づく情報により、対応する該調査募集を受け付けるために満たされるべき基準であり、前記調査募集の各々は、調査の参加を開始するために使用される電話番号、ウェブサイト、ウェブページ、住所、ＵＲＬ及び／又は電子メールアドレスを含むコンタクト情報、謝礼を受け取るための条件情報、謝礼情報、及び、各調査募集を識別するコードを含む、前記購入履歴基準表と、
ＣＩＤと、該ＣＩＤの消費者に配信するための調査募集とを関連付けて記憶する調査募集表と、
を含む、グローバル購入データベースと；
前記グローバル購入データベースに情報を記憶し、かつ、該グローバル購入データベースから情報を取り出すためのホストコンピュータと、
プリンターとスキャナーを含む、小売店の１つもしくはそれ以上のポスと、
前記ホストコンピュータと通信し、ローカル購入データベースに情報を記憶かつ取り出し、前記ポスの前記プリンターを制御するための、前記小売店の購入データコンピュータと、
前記ホストコンピュータと、ネットワークを介して接続されている調査者装置と
を備えたシステムにおける調査募集を配信するための方法であって、
前記ホストコンピュータは、前記グローバル購入データベース内の前記購入履歴表に記憶された購入履歴情報に基づく情報と、前記購入履歴基準表に記憶されたある購入履歴基準と比較し、
前記ホストコンピュータは、特定の消費者の前記ある購入履歴情報が前記購入履歴基準を満たすなら、前記購入履歴表に記憶された該特定の消費者のＣＩＤと、前記購入履歴基準表に記憶された対応する調査募集とを、前記調査募集表に関連付けて記憶し、
前記ホストコンピュータは、前記調査募集表を、前記小売店の前記購入データコンピュータに配信し、
前記ホストコンピュータは、前記調査募集中の前記コードを、前記購入データコンピュータに対するコードの配信前、配信中もしくは配信後に、前記調査者装置に送信し、
前記小売店の購入データコンピュータは、前記調査募集表を受け取って前記ローカル購入データベースに記憶し、
顧客が小売店で購入して顧客のＣＩＤが前記ポスにおいて前記スキャナーにより走査されると、前記購入データコンピュータは、該ＣＩＤを用いて、前記ローカル購入データベースに記憶された前記調査募集表中に、該ＣＩＤと同じＣＩＤが存在するかどうかを決定し、
前記購入データコンピュータが前記調査募集表中に同じＣＩＤが存在すると決定したら、前記購入データコンピュータは、前記調査募集表中の該ＣＩＤに対応する、コンタクト情報、条件情報、謝礼情報及びコードを含む調査募集を、前記ポスにおける前記プリンターにより印刷し、
顧客装置は、印刷された前記調査募集上のコンタクト情報を使用して前記調査者装置と接続し、
前記調査者装置は、前記調査募集上に示されるコードを入力するよう、顧客に要求し、
前記調査者装置は、前記顧客装置から入力された前記コードが未だ受信されていないことを判断する
ことにより、調査が実行され、前記調査募集上の前記謝礼が顧客に与えられるようにした方法。
【発明の詳細な説明】
【０００１】
【発明の属する技術分野】
（関連出願のクロスリファレンス）
本出願は、米国仮出願番号６０／１８８１７６号（弁護士整理番号７７９１−０１０８−２５  ＰＲＯＶ、２０００年３月１０日出願）の優先権を主張するもので、この米国仮出願は参考文献としてここに合体されている。本件出願は、米国特許出願番号６０／１８８１７２号（弁護士整理番号７７９１−０１１０−２５  ＰＲＯＶ、２００年３月１０日出願）及び同０９／５２７５６５号（弁護士整理番号７７９１−０１１１−２５、２０００年３月１６日出願）に記載の技術に関連している。
【０００２】
本発明は、一般的にはコンピュータシステムの利用に関連し、より具体的には、絞り込んだ市場調査への参加を誘う募集（ｉｎｖｉｔａｔｉｏｎ、案内）を配信する際のコンピュータシステムの利用に関連する。
【０００３】
調査募集は、調査（ｓｕｒｖｅｙ、サーベイ）などの市場調査もしくはその他の市場調査プログラムに参加するための情報を提供する告知である。
【０００４】
【従来の技術】
市場調査は、消費者心理や傾向に関する情報を提供する人々、グループや団体のみならず、広告者、メーカー、小売業者や消費者権利擁護団体によって使用されている。市場調査から得られた情報は、売上を増やし、かつ大衆に十分受け入れられそうな製品を消費者に供給するために使用される。市場調査の共通フォームは、無作為の消費者に対する大量の郵便、電子メール及び電話をかけることを含む。これらの消費者は、調査に参加し質問に回答し、市場調査を行う市場調査者（ｓｕｒｖｅｙｏｒ、サーベイヤー）及びその他の団体との生のインタビュー（ｉｎｔｅｒｖｉｅｗ、面接）に参加するよう誘われる。このように、市場調査は、無作為または準無作為の形態で行われる。
【０００５】
【発明が解決しようとする課題】
その結果、市場調査に参加するよう募集された多くの消費者は、調査の主題である製品をほとんど、あるいはまったく知らない。その結果、市場調査に参加する消費者の多くは、彼らが調査の対象である製品を使用しないか、または購入しないために、役に立たない。加えて、多くの消費者は、市場調査の主題が消費者の購入行動及び習性に無関係であるため、しばしば「ジャンクメール（ｊｕｎｋ  ｍａｉｌ、屑郵便）」の形をとる募集にうんざりしている。
【０００６】
したがって、本発明の１つの目的は、消費者の実際の購入履歴に基づいて、その特定の消費者に対する調査募集（ｒｅｓｅａｒｃｈ  ｉｎｖｉｔａｔｉｏｎ、調査案内）を絞り込むことである。
【０００７】
本発明の別の目的は、小売場所におけるポス（ＰＯＳ，ｐｏｉｎｔ  ｏｆ  ｓａｌｅ、販売点、販売時点情報管理）において、消費者に絞り込んだ調査募集を配信する新規な方法及びシステムを提供することである。
【０００８】
【課題を解決するための手段】
これら及びその他の目的は、絞込調査募集（ｔａｒｇｅｔｅｄ  ｒｅｓｅａｒｃｈ  ｉｎｖｉｔａｔｉｏｎ、ターゲットとされるリサーチインビテーション）を配信するための新規な方法、システム及びコンピュータプログラム製品を提供することによって達成される。そのシステム及びコンピュータプログラム製品が基礎にしているその方法は、小売場所において顧客に関連付けられた顧客識別子をポスから受信するステップと、顧客識別子に関連付けられた、顧客が市場調査に参加するために使用するコンタクト情報（ｃｏｎｔａｃｔ  ｉｎｆｏｒｍａｔｉｏｎ、窓口情報、接触情報、連絡情報）を含む、絞込調査募集を決定するステップと、絞込調査募集を顧客に配信するステップを含む。
【０００９】
本発明の別の側面によれば、絞り込んだ調査募集は、小売場所において購入された少なくとも１つの商品の購入情報に基づいて決定される。好ましくは、所定のバーコード情報（例えば、ＵＰＣ、ＪＡＮ、及び／又はＥＡＮ情報）などの購入トリガー（ｔｒｉｇｇｅｒ、要因）が、絞込調査募集が顧客に配信されるべき時を決定するために使用される。この購入トリガーは、顧客に配信されるべき絞込調査募集を決定するにおいて、顧客識別子に代えて、もしくはそれに加えて、使用されてもよい。
【００１０】
本発明の別の側面によれば、消費者の購入履歴情報が記憶される。この購入履歴情報は、消費者によって購入された商品の情報を含む。絞込調査募集は、購入履歴情報に基づいて決定され、その絞込調査募集は顧客が市場調査に参加するために使用するコンタクト情報と、顧客を市場調査に参加するように促すためのインセンティブ（ｉｎｃｅｎｔｉｖｅ、報奨、奨励金・品）を含む。絞込調査募集は、次に、顧客に関連付けられた顧客識別子に関連付けられる。
【００１１】
上述の方法で、本発明は、絞込調査募集を配信することによって従来の市場調査募集につきものだと考えられてきた問題を克服する。顧客に対する調査募集の絞込みは、顧客の現在の購入及び／又は顧客の購入履歴に基づいて適宜調整されてもよい。
【００１２】
【発明の実施の形態】
本発明の申し分のない評価及びそれに付随する多くの利点は、添付の図面と合わせて考慮されるとき、以下の詳細な説明を参照することにより、より容易に理解され得るであろう。
今、複数の図面を通じて同一もしくは対応する部分には同じ参照番号が付されている図面、特に図１を参照すると、そこには、絞り込んだ広告を顧客に配信するためのコンピュータ化されたシステムが示されている。図１のシステムは、ホストコンピュータ１０１と、グローバル購入データベース１０３と、１つもしくはそれ以上の小売店１０５と、購入データコンピュータ１０７と、ローカル購入データベース１０９と、小売店コントローラー１１１と、小売店データベース１１３と、１つもしくはそれ以上のポス１１５とを備え、そのポスの各々は、プリンター１１７、端末１１９とスキャナー１２１を含む。
【００１３】
そのホストコンピュータ１０１は、図８のコンピュータシステム８０１のように、購入データコンピュータ１０７と通信してグローバル購入データベース１０３に情報を記憶し、かつ、そのデータベースから情報を取り出すのに適した何らかのワークステーション、サーバー、またはその他の装置である。ホストコンピュータ１０１は、一実施例に従って、小売店１０５の消費者に送るべき絞込調査募集を決定する。ホストコンピュータ１０１は、何らかの適切なプロトコルを使用して購入データコンピュータ１０７と通信し、かつ例えば、図８のコンピュータシステム８０１を使用して導入されてもよい。
【００１４】
グローバル購入データベース１０３は、本発明に従って絞り込んだ調査募集を提供するための情報が入っている記録を含むファイルである。この情報は、消費者が小売店１０５で行った各購入の情報を含む。そのような情報は、例えば、ＳＫＵ（ｓｈｅｌｆ  ｋｅｅｐｉｎｇ  ｕｎｉｔ、棚管理単位）、ブランド、サイズ、重さ、価格、購入日時、及び購入を行う消費者の顧客識別子（ＣＩＤ）を含んでもよいが、それに限定されるものではない。一実施例では、この情報のいくつかの部分は、支払いに際してスキャナー１２１により走査される、購入商品上のバーコードから取得される。これらのバーコードは、ＵＰＣ、ＪＡＮ及びＥＡＮ情報を含んでもよい。グローバル購入データベース１０３の記録は、検索、分類、組換え及びその他のデータベース機能のための一連の操作と一緒に領域を含む。グローバル購入データベース１０３は、必要なら、２つもしくはそれ以上のデータベースとして導入してよい。米国特許第５８３２４５７号、同５６４９１１４号、同５４３０６４４号及び同５５９２５６０号の１つもしくはそれ以上には、消費者購入履歴情報を収集し、そのような情報を例えば、グローバル購入データベース１０３や小売店データベース１１３などのデータベースに記憶するための技術が記載されている。米国特許第５８３２４５７号、同５６４９１４４号、同５４３０６４４号及び同５５９２５６０号は、ここに参考文献として合体されている。加えて、消費者購入情報を収集し、その情報をグローバル購入データベース１０３や小売店データベース１１３などのデータベースに記憶するための技術は、カタリナマーケッティング及び／又はカタリナマーケッティングインターナショナルが所有する他の特許に記載されている。カタリナマーケッティング及び／又はカタリナマーケッティングインターナショナルが所有する各特許は、参考文献としてここに合体されている。
【００１５】
小売店１０５は一般的には、小売場所（ｒｅｔａｉｌ  ｌｏｃａｔｉｏｎ）と言われており、商品が消費者に対する小売販売のために確保されている場所である。上述の通り、多くの小売店１０５をホストコンピュータ１０１に接続してよい。
【００１６】
購入データコンピュータ１０７は、例えば、図８のコンピュータシステム８０１、または何らかの他の適切なＰＣ、ワークステーション、サーバーまたはホストコンピュータ１０１と通信し、ローカル購入データベース１０９に情報を記憶かつ取り出し、端末１１９と小売店コントローラー１１１（即ち、取引データ）間を伝送されるデータを監視し、プリンター１１７を制御するための装置を使い導入されてもよい。
【００１７】
ローカル購入データベース１０９は、本発明に従った、絞り込んだ調査募集を提供するための情報が入っている記録を含むファイルである。そのローカル購入データベース１０９の記録は、小売店１０５の商品にバーコードを関連付け（例えば、ＵＰＣ、ＪＡＮ、及び／又はＥＡＮコードを使うことによって）、顧客識別子を絞込調査募集に関連付け、顧客識別子を顧客の購入履歴情報に関連付け、そして購入トリガーを（例えば、バーコードを選択する）絞込調査募集に関連付けるための領域を含む。そのローカル購入データベース１０９はまた、検索、分類、組換え及びその他のデータベース機能のための操作も含む。ローカル購入データベース１０９は、必要なら、２つもしくはそれ以上のデータベースとして導入してもよい。定期的に（例えば、毎日）、ローカル購入データベース１０９に記憶された販売取引情報が、購入データコンピュータ１０７によって取り出されて、ホストコンピュータ１０１に送られ、そのホストコンピュータ１０１は、その情報を使って、グローバル購入データベース１０３に記憶された購入履歴情報を更新する。
【００１８】
小売店コントローラー１１１は、端末１１９と通信し、小売店データベース１１１３に記憶された情報を使い、ポス（ＰＯＳ）１１５での取引を実施するための何らかのコンピュータ又は装置である。小売店コントローラー１１１の説明は、例えば、米国特許第５１７３８５１号にある。
【００１９】
小売店データベース１１３は、購入商品上に印刷されたバーコードを走査することによるポス１１５で取引を行うための情報が入っている記録を含むファイルである。小売店データベース１１３中の記録は、バーコードを製品及びそれらに対応する価格に関連付けるための領域を含む。その小売店データベース１１３はまた、検索、分類、組換え及びその他のデータベース機能のための操作を含み、必要なら、２つもしくはそれ以上のデータベースとして導入してもよい。
【００２０】
小売店１０５は、１つもしくはそれ以上のポス１１５を含む。各ポス１１５は、好ましくは、対応するプリンター１１７、端末１１９とスキャナー１２１を含む。プリンター１１７は、購入データコンピュータ１０７からの印刷命令を受信する。本発明の実施例によれば、絞込調査募集は、受信する購入データコンピュータ１０７からの命令に応答して、プリンター１１７により印刷される。端末１１９は、標準のキャッシュレジスター（ｃａｓｈ  ｒｅｇｉｓｔｅｒ、金銭出納器）として導入しても良いし、例えば、画面、クレジットカード読取器、及びテンキーボードを含んでもよい。端末１１９は、小売店コントローラー１１１及びスキャナー１２１と通信する。そのスキャナー１２１は、製品上のバーコードもしくはその他の指標から商品コード（例えば、ＵＤＣ、ＥＡＮ、もしくはＪＡＮ）などの製品情報を読み取るための従来の何らかの走査装置として導入してもよい。スキャナー１２１によって読み取られたこの情報は、端末１１９を介して小売店コントローラー１１１に送信される。小売店コントローラー１１１は、例えば、ＳＫＵ、価格、数量、製品説明書を含む取引の情報を決定するために、走査された情報と小売店データベース１１３に記憶された情報を使う。
【００２１】
小売店１０５内に複数のポス１１５があるなら、その時には、各端末１１９は、小売店コントローラー１１１とループ構成となっているのが好ましい。購入データコンピュータ１０７は、そのループ上の小売店コントローラー１１１の前に配置され、端末からその小売店コントローラーに送信された情報が、購入データコンピュータ１０７により監視される。
【００２２】
図１のシステムは説明のためだけのものであって、本発明を実施するために使用される特定のハードウェア及びソフトウェアの多くの変形体が、通常のこの分野の技術を含むものであることが明らかであるのは当然のことである。例えば、購入データコンピュータ１０７と小売店コントローラー１１１の機能性は、単一の装置に組合わせて組み込んでもよい。これらの遂行及び他の小売コンピュータシステムの遂行は、それぞれ、ここに参考文献として合体してある米国特許第４７２３２１２号、同４９１０６７２号、同５１７３８５１号、同５６１２８６８号及び同６０２６３７０号の１つもしくはそれ以上に、より詳細に記載されている。これらの変形体は勿論、他の変形体も実施するためには、単一のコンピュータ（例えば、第８図のコンピュータシステム８０１）は、図１に示される装置のうちの２つもしくはそれ以上の特定目的機能を果たすためにプログラムされてもよい。これに反して、２台もしくはそれ以上のプログラムされたコンピュータを、図１に示される装置のいずれか１つと置き換えてもよい。冗長及び反復など、分散処理の原理と利点はまた、例えば、システムの堅牢性および性能を増加するために必要なら導入してもよい。
【００２３】
本発明は、例えば、小売店１０５で買物をする種々の消費者に関連する情報、これらの消費者の購入履歴、絞込調査募集、及び購入トリガーを記憶する。この情報は、例えば、ハードディスク、光ディスク、光磁気ディスク、及び／又はＲＡＭなどの１つもしくはそれ以上の記憶装置に記憶される。グローバル購入データベース１０３及び小売店データベース１１３などの１つもしくはそれ以上のデータベースは、本発明を実施するために使用される情報を記憶してもよい。そのデータベースは、例えば、上述の記憶装置もしくは図８の説明の中で下記に記載される何らかの記憶装置など、１つもしくはそれ以上の記憶装置に含まれるデータ構造（例えば、記録、表、整列、領域、グラフ、階層、及び／又はリスト）を使い構成される。
【００２４】
図２Ａ、図２Ｂ、図２Ｃ及び図３は、本発明の実施例に従って、絞り込んだ調査募集を提供するためのシステムを導入するために使用されるデータ構造を示している。そのデータ構造は、表を使う関係形式で示されており、それによって、表の１つの列（即ち、領域）に記憶される情報は、その表のほかの列を横切る同じ行（即ち、記録）に記憶される情報に位置付けられ、もしくは関連付けられる。これらのデータ構造は、本発明に従って、消費者に絞込調査募集を提供するために、ホストコンピュータ１０１及び／又は購入データコンピュータ１０７によって使用される。図２Ａ、図２Ｂ、図２Ｃ及び図３に示されるデータ構造は、グローバル購入データベース１０３、ローカル購入データベース１０９、及び／又は何らかの他の適切な記憶装置もしくは記録媒体（ｍｅｄｉｕｍ）に、記憶される。
【００２５】
図２Ａは、消費者識別子（ＣＩＤ）を記憶するための領域２０３と、その領域２０３に消費者の購入履歴を記憶するための領域２０５を含む購入履歴表２０１である。ＣＩＤは、走査され、読み取られ、またはそうでなければ、コンピュータもしくは端末に入力されて消費者を識別する何からの識別子である。各消費者は、複数のＣＩＤを持ってもよい。磁気片、メモリーチップ及びスマートカードを含んで、識別子を記憶もしくは表示するための何らかの他の機械読取可能なもしくは機械読取不能な実施が使われてもよいけれども、好ましくは、ＣＩＤは、バーコードで表されると、スキャナー１１７によって、清算時に迅速に走査されることができる。その他の適切な識別形態が使用されてもよいが、ＣＩＤの例は、クレジットカード番号、デビットカード番号、社会保険カード番号、運転免許番号、当座預金口座番号、住所、名前、電子メールアドレス、電話番号、お得意様消費者カード番号、買物客カード識別番号（ＳＣＩＤ）、もしくは小売店１０５が発行する買物客お得意様カード番号を含む。好ましくは、領域２０５は、ＳＫＵ、購入の場所、購入された商品の説明書、購入された各商品の価格、取引の日時、及び消費者の取引についての何らかの他の望ましい情報などの購入データを別々に記憶するためのいくつかの副領域に分割される。
【００２６】
図２Ｂは、購入履歴基準を記憶するための領域２０９及び絞込調査募集を記憶するための領域２１１を含む購入履歴基準表２０７である。購入履歴基準は、領域２０５の消費者購入履歴に基づき、領域２１１と同じ記録における対応する調査募集を受け付けるため、消費者によって満たさせられなければならない基準である。本発明は、消費者の実際の購入履歴が特別な調査募集に関連付けられた基準に合致することを要求することにより、調査募集を絞り込むことができる。例えば、特別な募集は、ブランドＸが好みであるように思われるか、もしくは先週、咳止めシロップを購入した人々に対して付与するだけでもよい。市場調査に参加する謝礼（ｒｅｗａｒｄ）が、同様に絞り込まれてもよい。領域２１１に記憶された調査募集の例は、図４Ａ、図４Ｂ及び図９Ａ乃至図９Ｇに関連して下記に提供される。
【００２７】
図２Ｃは、ＣＩＤを記憶するための領域２１５及び調査募集を記憶するための領域２１７を含む調査募集表２１３である。この調査募集表２１３は、各ＣＩＤを、領域２１７と同じ記録中に記憶された１つもしくはそれ以上の調査募集に関連付ける。この調査募集表２１３を使用し、購入データコンピュータ１０７は、消費者のＣＩＤに基づいて、消費者に配信する調査募集を決定してもよい。
【００２８】
図３は、購入トリガーを記憶するための領域３０３と調査募集を記憶するための領域３０５を含む購入トリガー表３０１である。領域３０３の購入トリガーはバーコードもしくはその他の情報であってもよく、それらは、端末１１９から小売店コントローラー１１１に送られた時、購入データコンピュータ１０７によって監視され、そのコンピュータは領域３０５中の対応する調査募集がプリンター１１７で印刷されるようにする。このように、購入トリガー表３０１は購入トリガーを、その取引が領域３０３中の購入トリガーの１つもしくはそれ以上に合致する顧客に対して配信されるべき調査募集に関連付ける。
【００２９】
図４Ａ、図４Ｂ及び図９Ａ乃至図９Ｂは、例えば、プリンター１１７で印刷され得る調査募集の例である。図４Ａ及び図４Ｂに示されるように、各調査募集４０１は、コンタクト情報４０３、条件情報４０４、謝礼情報４０５、及びコード（例えば、仮想個人識別番号（ＰＩＮ）４０７）を含む。コンタクト情報は、例えば、人が市場調査の参加を開始するために使用してもよい電話番号、ウェブサイト、ウェブページ、住所、統一情報源判別子（ＵＲＬ、ｕｎｉｆｏｒｍ  ｒｅｓｏｕｒｃｅ  ｌｏｃａｔｏｒ）及び／又は電子メールアドレスである。条件４０４は、謝礼４０５を受け取るために人がしなければならないことを示している。条件４０４の例は、調査、市場調査への参加、及び／又は質問書を完成すること、である。謝礼４０５は、小切手、クーポン、割引、証明、換金できる媒体、及び／又は宝くじなどの、条件を満足する人に対するその他の積極的な利益であってもよい。コード４０７は、各調査募集を独自に識別する識別表示である。本発明の一実施例では、人が市場調査に参加することによって謝礼４０５を受け取ろうとする時、その人が、その調査募集４０１についてコード４０７を提供するように求められる。このようにして、調査者、グループ、もしくは市場調査を行う人、及び／又は、その他の団体は、各調査募集４０１について１つを越える謝礼４０７を提供することを回避できる。本実施例は、例えば、領域２１１、２１７及び３０５に他の調査募集情報と一緒にコード４０７を記憶することによって実施されてもよい。コード４０７は、例えば、市場調査を行う団体もしくは市場調査に参加する人々に謝礼を出す団体（即ち、調査者）に対して提供され、各コード４０７は調査者によって認識され得、各コード４０７について１回だけの謝礼が提供される。ＰＩＮの使用はまた、消費者が、市場調査（ｍａｒｋｅｔ  ｒｅｓｅａｒｃｈ  ｓｕｒｖｅｙｓ）で二重計数されることを防止し、よりよいデータを得ることとなる。この実施例は、それぞれここに参考文献として組み入れてある米国特許第５９１５００７号及び同５８９２８２７号に記載のようなＰＩＮ技術を利用してもよい。
【００３０】
調査募集４０１が、必要なら、異なる目的に適合するようにあつらえられてもよく、項目４０３、４０４、４０５、及び４０７の１つもしくはそれ以上を省略してもよい。また、例えば、図９Ｇに示されるように、謝礼及び市場調査の主題は、食料雑貨品店及び小売店以外の主題を含んでもよい。調査募集４０１はまた、その申出もしくは募集がどの位の期間、有効か、及びその市場調査に参加するにはどの機器（例えば、双方向の音声応答のためのタッチトーンフォン（ＩＶＲ、ｉｎｔｅｒａｃｔｉｖｅ  ｖｏｉｃｅ  ｒｅｓｐｏｎｓｅ））が必要かを示す情報は勿論、謝礼４０５を受け取るために必要なその他の条件を含んでもよい。
【００３１】
図５Ａは、対象とする調査募集が、消費者の購入履歴に基づいて、どのようにして配信されるかを説明するためのフローチャートである。ステップ５０１では、ホストコンピュータ１０１が、グローバル購入データベース１０３に記憶された購入履歴情報を更新するために、小売店１０５の各々における購入履歴情報のための購入データコンピュータ１０７を調査する。そして、ステップ５０３において、ホストコンピュータ１０１は、グローバル購入データベース１０３に記憶された購入履歴情報から、行動情報を生成する。この行動情報は、市場調査者（即ち、調査者（ｓｕｒｖｅｙｏｒ、サーベイヤー））が、対象とする調査募集が消費者に配信されるべきかどうかを決めるために使用したい何らかの情報であってもよい。行動情報の例は、消費者が、昨年、１か月当たり少なくとも５ポンドのドッグフードを購入したかどうか、その消費者が、先週、風邪薬を購入したかどうか、及びその消費者が、常に一貫して、無乳糖牛乳を購入したかどうか、である。
【００３２】
ステップ５０５において、ホストコンピュータ１０１は、ステップ５０３で生成された行動情報を、購入基準表２０７の領域２０９に記憶された購入基準に比較する。もし、何らの消費者の行動情報が、領域２０９中の購入基準に合致するなら、その時には、消費者のＣＩＤが、領域２１５に記憶され、かつ領域２１１中の対応する調査募集が、調査募集表の領域２１７に記憶される。このようにして、調査募集表２１３には、ＣＩＤ及び対応する消費者に配信されるべき関連付けられた絞込調査募集が記載される。
【００３３】
ステップ５０７において、ホストコンピュータ１０１は、調査募集表２１３を、小売店１０５に配信する。必要なら、調査募集表２１３は、分離された調査募集表に分割され、その分割された調査募集表が、各小売店１０５に配信される。必要なら、対応する小売店１０５に頻出する消費者のＣＩＤだけが、記憶及び送信の制限の影響を軽減し、ＣＩＤ情報が、異なる小売店から与えられることのないようにするため、各小売店１０５に提供される。その調査募集表２１３は、購入データコンピュータ１０７及び小売店１０５が受け取って、ローカル購入データベース１０９に記憶される。異なる調査募集表２１３は、異なる市場調査プログラム用に構築されて
もよく、そして表２１３は、必要なら、更新され及び／又は修正してもよい。
【００３４】
ステップ５０９において、顧客は小売店１０５で購入し、顧客のＣＩＤがポス１１５においてスキャナー１２１により走査される。顧客のＣＩＤは、端末１１９に送信され、その端末は次にＣＩＤを小売店コントローラー１１１に送信する。端末１１９と小売店コントローラー１１１間の送信は、購入データコンピュータ１０７で監視され、このコンピュータ１０７はステップ５１１で、同じＣＩＤが調査募集表の領域２１５中に存在するかどうかを決定するために、そのＣＩＤを使用する。ステップ５１３において、もしＣＩＤが領域２１５に発見されると、その時には、領域２１７中の対応する調査募集が、ポス１１５におけるプリンター１１７により印刷される。このようにして、ＣＩＤが走査された顧客に絞り込んだ調査募集が、ポス１１５で、その顧客に配信される。一実施例では、購入データコンピュータ１０７が、１回だけ、絞込調査募集を顧客に配信するようプログラムされる。
【００３５】
図５Ｂは、絞込調査募集が、ポス１１５での現在の取引における購入トリガーに基づいて、どのように配信されるのかを説明するフローチャートである。ステップ５１５において、購入データコンピュータ１０７は、ローカル購入データベース１０９に記憶されている購入トリガー及び調査募集を受信する。購入トリガー及び調査募集は、ホストコンピュータ１０１からダウンロードされてもよいし、手入力してもよいし、何らかの他の適当な手段によって購入データコンピュータ１０７に転送されてもよい（例えば、フロッピー（登録商標）ディスクによって、もしくは他のコンピュータに対する接続を介して）。購入トリガー及び調査募集は、購入トリガー表３０１の領域３０３及び３０５、それぞれに記憶されている。購入トリガーは、ポス１１５での現在の購入の情報に対応する。例えば、購入トリガーは、領域３０５中の対応する絞込調査募集に関連付けられたバーコード情報及び／又はＳＫＵ情報であってもよい。このように、各購入トリガーは、１つもしくはそれ以上の製品を識別できる。
【００３６】
ステップ５１７において、購入データコンピュータ１０７は、端末１１９から小売店コントローラー１１１に送信された現在の購入の情報を監視する。現在の購入の情報は、製品上のバーコードを走査する時か、又はポスにおける端末から小売店コントローラーに情報を送信するための何らかの他の適切な方法によって生成され得る。購入データコンピュータ１０７は、現在の購入情報を、領域３０３に記憶された購入トリガーと比較する。もし、領域３０３の何らかの購入トリガーと、購入データコンピュータ１０７によって監視される現在の購入情報との間に適合があるなら（例えば、もし、購入トリガーによって識別された製品が購入されると）、その時には、ステップ５１９で、購入データコンピュータ１０７が、プリンター１１７に、領域３０５の対応する絞込調査募集を印刷させる。
【００３７】
図６Ａは、本発明に従い電話で市場調査を行うためのシステムである。このシステムは、従来の電話６０１と、電話６０１を、双方向性音声応答（ＩＶＲ）システム６０７を含む調査者６０５に接続する従来の公衆交換電話網６０３を含む。調査者６０５は、人、装置、機関、協会、もしくは市場調査を行う他の団体、である。
【００３８】
図６Ｂは、インターネット上で市場調査を行うためのシステムである。種々のコンピュータ（例えば、コンピュータ６０９、６１１、及び６１３）は、インターネット６１５によって市場調査サーバー６１７に接続されている。市場調査サーバー６１７は、インターネット６１５上で市場調査を行うか、及び／又は促進するためのコンピュータ、サーバー、装置、及び／又はソフトウェアである。
【００３９】
図７Ａは、本発明の実施例により、図６Ａの模範的システムを使い、市場調査がどのようにして実行され得るか、を説明するフローチャートである。ステップ７０１において、顧客は、調査者６０５に連絡するために絞込調査募集４０１上のコンタクト情報４０３を使用する。もし、コンタクト情報が電話番号であるなら、その時には、顧客は、調査者６０５に連絡するために単に電話６０１を使うだけである。ステップ７０３において、調査者６０５は、絞込調査募集４０１上に示されるコード４０７を入力するよう、顧客に要求する。調査者６０５とのやりとりは、必要なら、一部もしくは全部を自動化してもよい。コード４０７は、例えば、絞込調査募集４０１が印刷され、購入データコンピュータ１０７もしくはホストコンピュータ１０１から、コンピュータ化された通信網を通じて、調査者６０５に伝送される時に発生される仮想のＰＩＮであってもよい。代わりに、調査募集４０１上に印刷される所定の暗号化されたＰＩＮのリストが、小売店１０５における依頼の配信の前に、調査者６０５に提供される。図６Ａに示されるように、ホストコンピュータ１０１は、ＰＳＴＮ６０３を介して調査者６０５に接続されており、ホストコンピュータ１０１は、絞込調査募集４０１上のコード（例えば、仮想ＰＩＮ）４０７を、購入データコンピュータ１０７に対するコードの配信前、配信中、もしくは配信後に、調査者６０５のコンピュータ及び／又はＩＶＲシステム６０７に送信する。
【００４０】
ステップ７０５において、調査者６０５は、ステップ７０３で入力されたＰＩＮが既に受信されたかどうかを判断する。もし、ＰＩＮが未だ受信されていないなら、その時には、ステップ７０７に進み、そこでＩＶＲ会議及び／又は生のインタビューが行われる。代わりの実施例では、郵便、もしくはインターネットもしくはステップ７０７又は、さらなる市場調査が行われるステップ７０９などの追加のステップにおける何らかの他の知られたやり方で、調査が行われてもよい。そのような市場調査は、家庭訪問、質問書、ＩＶＲ会議、及び／又は生のインタビューを含んでもよい。
【００４１】
次に、ステップ７１１において、絞込調査募集４０１の謝礼４０５が顧客に与えられる。その謝礼は、何らかの知られた方法で、顧客に与えられればよい。一実施例によれば、謝礼が現金なら、領域４０５で特定された額の小切手が顧客に郵送される。他の謝礼の形体は、何分間かの無料の長距離電話、インターネット上での製品購入に使用可能な無料の仮想マネー（金銭）、小売店１０５で販売される製品用の割引券、及び小売店１０５で無料商品と交換可能な証明書である。
【００４２】
図７Ｂは、インターネット６１５上で、どのようにして市場調査を行い得るか、を説明するフローチャートである。ステップ７１３において、顧客は、その顧客に配信された対象とする調査募集４０１上のコンタクト情報４０３により特定されるＵＲＬによって識別されたウェブページを見るために、コンピュータ６０９上で動作するウェブブラウザーを使用する。加えて、ステップ７１３において、顧客は、絞込調査募集４０１上に現れるコード４０７を入力するよう求められる。そのコード４０７は、同じ調査募集が１回を越えて受け付けられることを阻止するために、また市場調査が完全なデータによって利益を得る調査あるいは他の形体の調査であるなら、参加者の重複を防ぐために、上述した、仮想ＰＩＮと同じものを作動する。
【００４３】
そして、ステップ７１５において、顧客は、消費者製品調査などの市場調査に参加する。消費者の調査プログラムへの参加を完了した時、その消費者は、ステップ７１７で、謝礼を贈られる。ステップ７１７は、ステップ７１１と同じ方法で実施してもよい。しかし、インターネット上で実施される市場調査に参加する消費者には、「インターネットマネー（金銭）」などのインターネット上の謝礼が贈られるのが好ましく、そのインターネットマネーは、特定額のインターネットマネーが「かかる」賞品を受け取るために使用できる。
【００４４】
本発明のすべてもしくは一部は、コンピュータ分野の当業者にとって明らかであろうので、本発明の教示によってプログラムされた従来の汎用コンピュータもしくはマイクロ処理装置を使い、都合よく実施されてもよい。適切なソフトウェアは、ソフトウェア分野の当業者にとって明らかであろうので、本開示の教示に基づき通常の技能のプログラマーによって容易に作成されることができる。
【００４５】
図８は、本発明の実施例を実行できるコンピュータシステム８０１を示す。コンピュータシステム８０１は、バス８０３もしくは、情報をやりとりするための他の通信機構、及びその情報を処理するため、バス８０３に連結された処理装置８０５を含む。コンピュータシステム８０１はまた、ランダムアクセスメモリー（ＲＡＭ）又は、その他の動的記憶装置（例えば、動的ＲＡＭ（ＤＲＡＭ、ｄｙｎａｍｉｃ  ＲＡＭ）、静的ＲＡＭ（ＳＲＡＭ、ｓｔａｔｉｃ  ＲＡＭ）、同期的ＤＲＡＭ（ＳＤＲＡＭ、ｓｙｎｃｈｒｏｎｏｕｓ  ＤＲＡＭ）、フラッシュＲＡＭ（ｆｌａｓｈ  ＲＡＭ））などの情報と処理装置８０５によって実行されるべき命令を記憶するために、バス８０３に連結された、主記憶装置８０７を含む。さらに、主記憶装置８０７は、仮の変数もしくは処理装置８０５によって実行されるべき命令の実行中のその他の中間情報を記憶するために使用されてもよい。コンピュータシステム８０１はさらに、リードオンリーメモリー（ＲＯＭ）８０９もしくは、静的情報及び処理装置８０５用の命令を記憶するため、バス８０３に連結されたその他の静的記憶装置（例えば、プログラム可能なＲＯＭ（ＰＲＯＭ、ｐｒｏｇｒａｍｍａｂｌｅ  ＲＯＭ）、消去可能なＰＲＯＭ（ＥＰＲＯＭ、ｅｒａｓａｂｌｅ  ＰＲＯＭ）、及び電気的に消去可能なＰＲＯＭ（ＥＥＰＲＯＭ、ｅｌｅｃｔｒｉｃａｌｌｙ  ｅｒａｓａｂｌｅ  ＰＲＯＭ））を含む。磁気ディスクもしくは光ディスクなどの記憶装置８１１は、情報及び命令を記憶するために用意されて、バス８０３に連結される。
【００４６】
コンピュータシステム８０１はまた、特別目的の論理装置（例えば、用途特定集積回路（ＡＳＩＣ）もしくは構造化可能な論理装置（例えば、一般ロジックアレイ（ＧＡＬ、ｇｅｎｅｒｉｃ  ａｒｒａｙ  ｏｆ  ｌｏｇｉｃ）、もしくは再プログラム可能な領域プログラム可能ゲートアレイ（ＦＰＧＡ、ｒｅｐｒｏｇｒａｍｍａｂｌｅ  ｆｉｅｌｄ  ｐｒｏｇｒａｍｍａｂｌｅ  ｇａｔｅ  ａｒｒａｙ））を含んでもよい。その他の取外し可能な媒体装置（例えば、コンパクトディスク、テープ、及び取外し可能な光磁気媒体）もしくは固定された高密度媒体装置が、適切な装置バス（例えば、スモールコンピュータシステムインターフェース（ＳＣＳＩ）バス、強化統合装置電子（ＩＤＥ、ｅｎｈａｎｃｅｄ  ｉｎｔｅｇｒａｔｅｄ  ｄｅｖｉｃｅ  ｅｌｅｃｔｒｏｎｉｃｓ）バス、もしくはウルトラダイレクトメモリーアクセス（ＤＭＡ、ｕｌｔｒａ−ｄｉｒｅｃｔ  ｍｅｍｏｒｙ  ａｃｃｅｓｓ）バス）を使い、コンピュータシステム８０１に追加してもよい。コンピュータシステム８０１はさらに、コンパクトディスクリーダー、コンパクトディスクリーダー／ライターユニット、もしくはコンパクトディスクジュークボックスを含んでもよく、これらの各々は、同じ装置バスもしくは他の装置バスに接続してもよい。
【００４７】
コンピュータシステム８０１は、バス８０３を介して、陰極線管（ＣＲＴ、ブラウン管）などのコンピュータ使用者に対して情報を表示するための表示装置８１３に連結してもよい。表示装置８１３は、表示カードまたはグラフィックカードで制御されてもよい。そのコンピュータシステムは、キーボード８１５やカーソルコントロール８１７などの、処理装置８０５に対して情報及び命令選択を伝達するための入力装置を含む。カーソルコントロール８１７は、例えば、マウス、トラックボール、もしくは、処理装置８０５に対して方向情報及び命令選択を伝達して表示装置８１３上のカーソルの動きを制御するためのカーソル方向キー、である。さらに、プリンターは、図２Ａ、図２Ｂ、図２Ｃ、及び図３に示す印刷されたデータ構造のリスト、もしくはコンピュータシステム８０１によって記憶され及び／又は生成された何らかの他のデータを提供してもよい。
【００４８】
コンピュータシステム８０１は、主記憶装置８０７などの記憶装置に含まれた一続きもしくはそれ以上の連続した１つもしくはそれ以上の命令を実行する処理装置８０５に応答して本発明の処理ステップの一部もしくはすべてを実行する。そのような命令は、記憶装置８１１などの他のコンピュータ読取可能な記録媒体（ｃｏｍｐｕｔｅｒ−ｒｅａｄａｂｌｅ  ｍｅｄｉｕｍ）から主記憶装置８０７に読み込まれてもよい。多重処理配置の１つもしくはそれ以上の処理装置はまた、主記憶装置８０７中に含まれた連続した命令を実行するためにも用いてもよい。代わりの実施例においては、配線で接続された回路を、ソフトウェア命令の代わりに、もしくはそれと組合わせて、使用してもよい。このように、実施例は、ハードウェア回路及びソフトウェアの何らかの特定の組合せに限定されるものではない。
【００４９】
上述のように、システム８０１は、少なくとも１つのコンピュータ読取可能な記録媒体もしくは本発明の教示に従いプログラムされた、データ構造、表、記録もしくはここに記載の他のデータを含むための記憶装置を含む。本発明は、コンピュータ読取可能な記録媒体の何らかの１つ、もしくはその連合体上に記憶された、コンピュータシステム８０１を制御し、本発明を実施するための１つもしくは複数の装置を駆動し、かつコンピュータシステム８０１を、人のユーザー、例えば、消費者とやりとりするようにするためのソフトウェアを含む。そのようなソフトウェアは、装置ドライバー、オペレーティングシステム、開発ツール、及びアプリケーションソフトウェアを含んでもよいが、それに限られるものではない。そのようなコンピュータ読取可能な記録媒体はさらに、本発明を実施するにおいて実行される処理のすべて、もしくは一部（処理が分散されるなら）を実行するためのコンピュータプログラム製品を含む。
【００５０】
本発明のコンピュータコード装置は、それらに制限はされないが、スクリプト、インタープリター、ダイナミックリンクライブラリー、ＪＡＶＡ（登録商標）クラス、及び完全実行可能プログラムを含む、何らかの解釈された（ｉｎｔｅｒｐｒｅｔｅｄ、インタープリター）、もしくは実行可能なコード機構であってもよい。さらに、本発明の処理の一部は、より良い性能、信頼性、及び／又は費用のために分散されてもよい。
【００５１】
ここで使用の「コンピュータ読取可能な記録媒体」の用語は、命令を実行のために処理装置８０５に提供することに関与する何らかの媒体に属している。コンピュータ読取可能な記録媒体は、それらに制限はされないが、不揮発性媒体、揮発性媒体、及び伝送媒体を含んで、多くの形体をとってよい。不揮発性媒体は、例えば、光ディスク、磁気ディスク、及び、記憶装置８１１などの光磁気ディスクを含む。揮発性媒体は、主記憶装置８０７などの動的記憶装置を含む。伝送媒体は、バス８０３を構成する線を含んで、同軸ケーブル、銅線及び光ファイバーを含む。伝送媒体はまた、無線及び赤外線データ通信中に発生されるもののような、音波もしくは光波の形体をとってもよい。
【００５２】
コンピュータ読取可能な記録媒体の一般的形体は、例えば、ハードディスク、フロッピー（登録商標）ディスク、テープ、光磁気ディスク、ＰＲＯＭ（ＥＰＲＯＭ、ＥＥＰＲＯＭ、フラッシュＥＰＲＯＭ）、ＤＲＡＭ、ＳＲＡＭ、ＳＤＲＡＭ、もしくは何らかの他の磁気媒体、コンパクトディスク（例えば、ＣＤ−ＲＯＭ）、もしくは何からの他の光媒体、パンチカード、紙テープもしくは穴模様を持つ他の物理的媒体、搬送波（下に記載）、もしくはコンピュータが読取りできる何らかの他の記録媒体を含む。
【００５３】
コンピュータ読取可能な記録媒体の種々の形体は、処理装置８０５が実行するための一続きもしくはそれ以上連続した１つもしくはそれ以上の命令を実行するにおいて含めてもよい。例えば、命令は、当初、リモートコンピュータ（ｒｅｍｏｔｅ  ｃｏｍｐｕｔｅｒ、遠隔のコンピュータ）の磁気ディスク上で実行されてもよい。そのリモートコンピュータは、本発明のすべてもしくは一部を実施するための命令を、動的記憶装置に遠隔的に取り込み、その命令をモデムを使い、電話線を通じて送ることができる。コンピュータシステム８０１に付属のモデムで電話線上のデータを受信し、赤外線送信機を使って、そのデータを赤外線信号に変換してもよい。バス８０３に連結された赤外線検出器は、赤外線信号で搬送されたデータを受信し、そのデータをバス８０３上に置くことができる。バス８０３は、データを主記憶装置８０７に搬送し、その主記憶装置から、処理装置８０５が命令を取り出し実行する。主記憶装置８０７が受信したその命令は、処理装置８０５による実行前か後に、記憶装置８１１に、光学的に記憶されてもよい。
【００５４】
コンピュータシステム８０１はまた、バス８０３に連結された通信インターフェース８１９を含む。通信インターフェース８１９は、ローカルネットワーク（例えば、ＬＡＮ８２３）に接続されるネットワークリンク８２１に連結する双方向データ通信を提供する。例えば、通信インターフェース８１９は、何らかのパケット交換構内情報通信網（ローカルエリアネットワーク：ＬＡＮ）に取付けるネットワークインターフェースカードであってもよい。別の例として、通信インターフェース８１９は、非対称デジタル加入者線（ＡＤＳＬ）カード、総合サービスデジタル通信網（ＩＳＤＮ）カード、もしくは対応するタイプの電話線にデータ通信接続を提供するモデム、であってもよい。無線リンクもまた導入されてもよい。何らかのそのような導入において、通信インターフェース８１９は、種々のタイプの情報を表すデジタルデータストリームを搬送する電気的、電磁的もしくは光学的信号を送信しかつ受信する。
【００５５】
ネットワークリンク８２１は、典型的に、他のデータ装置に対する１つもしくはそれ以上のネットワークを介してデータ通信を提供する。例えば、ネットワークリンク８２１は、ホストコンピュータ８２５、もしくは、ＩＰ（インターネットプロトコル）ネットワーク８２７（例えば、インターネット６１５）、又は、既知のプロトコルを使用する他の適当なネットワーク（例えば、ＩＰＸ）を介してデータ通信サービスを提供する、サービスプロバイダーが操作しているデータ機器にＬＡＮ８２３を介する接続を提供してもよい。ＬＡＮ８２３及びＩＰネットワーク８２７はいずれも、デジタルデータストリームを搬送する電気的、電磁的もしくは光学的信号を使用する。種々のネットワークを介する信号及び、コンピュータシステム８０１に対してデジタルデータを出し入れ搬送する、ネットワークリンク８２１上及び通信インターフェース８１９を介する信号は、情報を伝送する搬送波の形体見本である。コンピュータシステム８０１は、ネットワーク、ネットワークリンク８２１及び通信インターフェース８１９を介して通知を送信し、かつ、プログラムコードを含む、データを受信できる。
【００５６】
明らかに、上記教示に照らして、本発明の多数の修正体及び変形体が可能である。従って、添付の特許請求の範囲内で、ここに具体的に記載された以外のやり方で本発明を実施してもよいことは当然である。
【図面の簡単な説明】
【図１】  本発明の一実施例に従った、消費者の購入履歴を記憶し絞込調査募集を配信するためのコンピュータ化されたシステムを示す構成図である。
【図２Ａ】  本発明の一実施例に従った、顧客の識別子（ＣＩＤ）を消費者の購入履歴に関連付けるための購入履歴表を示す図である。
【図２Ｂ】  本発明の一実施例に従った、購入履歴基準を、対応する購入履歴基準を満足する購入履歴を持つ消費者を絞込調査募集に関連付けるための購入履歴基準を示す図である。
【図２Ｃ】  本発明の一実施例における、ＣＩＤを絞込調査募集に関連付けるための調査募集表を示す図である。
【図３】  本発明の一実施例における、購入トリガーを絞込調査募集に関連付けるための購入トリガー表を示す図である。
【図４Ａ】  市場調査に参加するよう誘う調査募集を示す説明図である。
【図４Ｂ】  市場調査に参加するよう誘う調査募集を示す説明図である。
【図５Ａ】  本発明の一実施例に従った、消費者の購入履歴に基づいて調査募集を絞り込むための手順を説明するフローチャートである。
【図５Ｂ】  本発明の一実施例に従った、顧客の現在の購入に基づいて顧客に対する調査募集を絞り込むための手順を説明するフローチャートである。
【図６Ａ】  本発明の一実施例に従った、電話で市場調査を行うシステムを示す構成図である。
【図６Ｂ】  本発明の一実施例に従った、インターネットで市場調査を行うシステムを示す構成図である。
【図７Ａ】  本発明の一実施例に従った、市場調査を行うための手順を説明するフローチャートである。
【図７Ｂ】  本発明の一実施例に従った、市場調査を行うための手順を説明するフローチャートである。
【図８】  本発明の本発明の１つもしくはそれ以上の特別目的機能を実行するためにプログラムされたコンピュータシステムの構成図である。
【図９Ａ】  本発明の異なる実施例における、消費者に配信されてもよい絞込調査募集の追加例を示す図である。
【図９Ｂ】  本発明の異なる実施例における、消費者に配信されてもよい絞込調査募集の追加例を示す図である。
【図９Ｃ】  本発明の異なる実施例における、消費者に配信されてもよい絞込調査募集の追加例を示す図である。
【図９Ｄ】  本発明の異なる実施例における、消費者に配信されてもよい絞込調査募集の追加例を示す図である。
【図９Ｅ】  本発明の異なる実施例における、消費者に配信されてもよい絞込調査募集の追加例を示す図である。
【図９Ｆ】  本発明の異なる実施例における、消費者に配信されてもよい絞込調査募集の追加例を示す図である。
【図９Ｇ】  本発明の異なる実施例における、消費者に配信されてもよい絞込調査募集の追加例を示す図である。
【符号の説明】
１０１  ホストコンピュータ
１０３  グローバル購入データベース
１０５  小売店
１０７  購入データコンピュータ
１０９  ローカル購入データベース
１１１  小売店コントローラー
１１３  小売店データベース
１１５  ＰＯＳ
１１７  プリンター
１１９  端末
１２１  スキャナー
２０１  購入履歴表
２０３、２０５、２０９、２１１、２１５、２１７  領域
２０７  購入履歴基準表
２１３  調査募集表
３０１  購入トリガー表
３０３、３０５  領域
４０１  調査募集
４０３  コンタクト情報
４０４  条件情報
４０５  謝礼情報
４０７  仮想的個人識別番号
５０１、５０３、５０５、５０７、５０９、５１１  ステップ
５１３、５１５、５１７、５１９  ステップ
６０１  電話
６０３  ＰＳＴＮ
６０５  調査者
６０７  ＩＶＲシステム
６０９、６１１、６１３  コンピュータ
６１５  インターネット
６１７  市場調査サーバー
７０１．７０３、７０５、７０７、７０９、７１１  ステップ
７１３、７１５、７１７  ステップ
８０１  コンピュータシステム
８０３  バス
８０５  処理装置
８０７  主記憶装置
８０９  ＲＯＭ
８１１  記憶装置
８１３  表示装置
８１５  入力装置
８１７  カーソルコントロール
８１９  通信インターフェース
８２１  ネットワークリンク
８２３  ＬＡＮ
８２５  ホストコンピュータ
８２７  ＩＰネットワーク
【図１】
0004564220.tif 000002
【図２Ａ】
0004564220.tif 000003
【図２Ｂ】
0004564220.tif 000004
【図２Ｃ】
0004564220.tif 000005
【図３】
0004564220.tif 000006
【図４Ａ】
0004564220.tif 000007
【図４Ｂ】
0004564220.tif 000008
【図５Ａ】
0004564220.tif 000009
【図５Ｂ】
0004564220.tif 000010
【図６Ａ】
0004564220.tif 000011
【図６Ｂ】
0004564220.tif 000012
【図７Ａ】
0004564220.tif 000013
【図７Ｂ】
0004564220.tif 000014
【図８】
0004564220.tif 000015
【図９Ａ】
0004564220.tif 000016
【図９Ｂ】
0004564220.tif 000017
【図９Ｃ】
0004564220.tif 000018
【図９Ｄ】
0004564220.tif 000019
【図９Ｅ】
0004564220.tif 000020
【図９Ｆ】
0004564220.tif 000021
【図９Ｇ】
0004564220.tif 000022